(57)【要約】【課題】  臨場感を提供する再生システムを提供する。【解決手段】  周縁にしたがって屈曲しやすくなる状態に形成した表示パネル３００の背面側に、表示パネル３００の左右方向の両端縁を前方に付勢する屈曲手段５３２を配設する。表示面と利用者Ｘの視認基準となる基準点Ｇとの離間距離Ｄを、距離センサ５３１にて測定する。あらかじめ設定した表示パネル３００の表示面の大きさと、離間距離Ｄとに基づいて、屈曲手段５３２を適宜動作させる。基準点Ｇにおける立体視認範囲外の表示パネル３００の領域となる左右方向で中心角がそれぞれ６０度の範囲外の領域を基準点Ｇ側に離間距離Ｄの長さに反比例する状態で付勢して屈曲させる。立体視野範囲外の映像に焦点が合いやすくハッキリ見え、臨場感を向上できる。【選択図】  図３
2006023676.tif 000002
【特許請求の範囲】
【請求項１】
基準点に対向して配置される表示手段の表示面に表示される画面表示の前記基準点における視認距離を調整する表示調整装置であって、
少なくとも前記基準点における立体視野範囲外で視認される領域の画面表示の視認距離が立体視野範囲内で視認される画面表示の視認距離より近い距離となる状態に制御する
ことを特徴とした表示調整装置。
【請求項２】
請求項１に記載の表示調整装置であって、
前記表示面および前記基準点間に配設された光学素子と、
前記光学素子の少なくとも左右方向における両端側にしたがって倍率が大きくなる状態に制御する倍率調整手段と、を具備した
ことを特徴とした表示調整装置。
【請求項３】
請求項２に記載の表示調整装置であって、
前記光学素子は、フレネルレンズであり、
前記倍率調整手段は、前記フレネルレンズの中心から前記フレネルレンズの左右方向における両端縁側にしたがって曲率半径が略連続的に小さくなる状態に、前記フレネルレンズの少なくとも左右方向の両端側の領域を前記基準点側へ近づく状態に前記フレネルレンズを屈曲させる屈曲手段を備えた
ことを特徴とした表示調整装置。
【請求項４】
基準点に対向して配置される表示手段の表示面に表示される画面表示の前記基準点における視認距離を調整する表示調整装置であって、
前記基準点および前記表示面間の離間距離を認識する距離認識手段と、
前記表示面および前記基準点間に配置されるフレネルレンズと、
前記離間距離および前記表示面の大きさに基づいて、前記基準点および前記表示面との対向方向を中心軸とし前記基準点を中心として左右方向で中心角がそれぞれ６０度の範囲より外側の領域で視認される領域に対応した前記フレネルレンズの領域を認識する範囲外領域認識手段と、
前記表示面における少なくとも前記認識した前記外側の領域に対応した前記フレネルレンズの領域を前記基準点側へ他の領域より小さい曲率半径に屈曲させる屈曲手段と、
を具備したことを特徴とした表示調整装置。
【請求項５】
請求項４に記載の表示調整装置であって、
前記屈曲手段は、少なくとも前記フレネルレンズの左右方向における両端縁側にしたがって曲率半径が略連続的に小さくなる状態に屈曲させる
ことを特徴とした表示調整装置。
【請求項６】
請求項３または請求項５に記載の表示調整装置であって、
前記フレネルレンズは、少なくとも左右方向における両端縁側がしたがって屈曲される方向に対する剛性が小さくなる状態に形成され、
前記屈曲手段は、前記フレネルレンズの左右方向における両端縁近傍を前記基準点に近づく状態に移動させる移動手段を備えた
ことを特徴とした表示調整装置。
【請求項７】
請求項３または請求項５に記載の表示調整装置であって、
前記フレネルレンズは、少なくとも左右方向における両端縁側にしたがって屈曲される方向に対する剛性が小さくなる状態に形成され、
前記屈曲手段は、前記フレネルレンズの略中央を前記基準点に対して遠ざかる状態に移動させる移動手段を備えた
ことを特徴とした表示調整装置。
【請求項８】
請求項１に記載の表示調整装置であって、
前記表示手段の表示面は、屈曲可能に構成され、
前記基準点および前記表示面間の離間距離を認識する距離認識手段と、
前記離間距離および前記表示面の大きさに基づいて、前記表示面の前記立体視野範囲外に位置する領域を他の領域より小さい曲率半径で前記基準点側へ屈曲させる屈曲手段とを具備した
ことを特徴とした表示調整装置。
【請求項９】
基準点に対向して配置される表示手段の屈曲変形可能な表示面の曲率を調整する表示調整装置であって、
前記基準点および前記表示面間の離間距離を認識する距離認識手段と、
前記離間距離および前記表示面の大きさに基づいて、前記基準点および前記表示面との対向方向を中心軸とし前記基準点を中心として左右方向で中心角がそれぞれ６０度の範囲より外側に位置する前記表示面の領域を範囲外領域として認識する範囲外領域認識手段と、
前記表示面における少なくとも前記認識した範囲外領域を前記基準点側へ他の領域より小さい曲率半径に屈曲させる屈曲手段と、
を具備したことを特徴とした表示調整装置。
【請求項１０】
基準点に対向して配置される表示手段の屈曲変形可能な表示面の曲率を調整する表示調整装置であって、
少なくとも前記基準点における立体視野範囲外に位置する前記表示面の領域を、他の領域より小さい曲率半径に屈曲させる
ことを特徴とした表示調整装置。
【請求項１１】
請求項１０に記載の表示調整装置であって、
前記基準点および前記表示面間の離間距離を認識する距離認識手段と、
前記離間距離および前記表示面の大きさに基づいて、前記基準点および前記表示面との対向方向を中心とし前記基準点を中心として左右方向で中心角がそれぞれ６０度の範囲より外側に位置する前記表示面の領域を立体視野範囲外に位置する領域と認識する範囲外領域認識手段と、
この範囲外領域認識手段にて認識した立体視野範囲外の領域を他の領域より小さい曲率半径で前記基準点側へ屈曲させる屈曲手段とを具備した
ことを特徴とした表示調整装置。
【請求項１２】
請求項８ないし請求項１１のいずれかに記載の表示調整装置であって、
前記屈曲手段は、前記表示面の中心から前記表示面の左右方向における両端縁側にしたがって曲率半径が連続的に小さくなる状態に屈曲する
ことを特徴とした表示調整装置。
【請求項１３】
請求項８ないし請求項１２のいずれかに記載の表示調整装置であって、
前記屈曲手段は、前記表示面の左右方向における両端縁を前記離間距離の長さに反比例する状態に前記基準点に向けて付勢する
ことを特徴とした表示調整装置。
【請求項１４】
請求項８ないし請求項１３のいずれかに記載の表示調整装置であって、
前記表示手段の表示面は、少なくとも左右方向における両端部分が中央部分に対して屈曲される方向における剛性が小さくなる状態に形成され、
前記屈曲手段は、前記表示面の左右方向における両端縁近傍を前記基準点に近づく状態に移動させる移動手段を備えた
ことを特徴とした表示調整装置。
【請求項１５】
請求項８ないし請求項１３のいずれかに記載の表示調整装置であって、
前記表示手段の表示面は、少なくとも左右方向における両端部分が中央部分に対して屈曲される方向における剛性が小さくなる状態に形成され、
前記屈曲手段は、前記表示面の略中央を前記基準点に対して遠ざかる状態に移動させる移動手段を備えた
ことを特徴とした表示調整装置。
【請求項１６】
請求項８ないし請求項１５のいずれかに記載の表示調整装置であって、
前記表示手段は、液晶表示パネル、エレクトロルミネセンスパネル、電気泳動ディスプレイパネルのうちのいずれか１つである
ことを特徴とした表示調整装置。
【請求項１７】
基準点に対向して配置された表示手段と、
この表示手段にて表示される画面表示の前記基準点における視認状態を調整する請求項１ないし請求項１６のいずれかに記載の表示調整装置と、
を具備したことを特徴とした表示装置。
【発明の詳細な説明】
【技術分野】
【０００１】
本発明は、基準点に対向して配置される表示手段における表示状態を調整する表示調整装置および表示装置に関する。
【背景技術】
【０００２】
従来、画面表示する表示面が凹面状となる表示装置が知られている。この表示装置は、可撓性を有した表示板の曲率を機械的に可変する（例えば、特許文献１参照）。
【０００３】
特許文献１に記載の表示装置は、可撓性を有し湾曲自在な液晶表示板の長手方向両サイドに設けたナットを互いに近接する方向に移動させ、弓形に湾曲させる。液晶表示板の裏面中央部を、筐体側に設けたガイドに案内させてスライド可能としている。そして、この表示装置は、液晶表示板の裏面中央部がガイドに接したのちも左右のナット間の距離を縮めると、液晶表示板の略中央近傍の湾曲はガイドによりほぼ平坦となり、左右端に近いところだけに湾曲が生じ、あたかも食器の小鉢を伏せたとこのような断面形状に近い曲がりとなる構成が採られている。
【０００４】
【特許文献１】特開平１０−２６７５４号公報（第２頁右欄−第３頁左欄、図２）
【発明の開示】
【発明が解決しようとする課題】
【０００５】
ところで、表示装置で表示される表示画面を視認する状況として、表示面の全域が利用者の立体視野範囲内に位置する状態、すなわち表示面からある程度離れた位置から利用者が視認する状態が一般的である。この利用状態では、上述した特許文献１に記載のように表示面を湾曲させたとしても、立体視野範囲内に表示される画面表示は湾曲する面に平坦に視認されることとなり、十分な臨場感の向上は得られない問題点が一例として挙げられる。そして、単に表示画面との距離が短くなる状態としても見づらくなるのみで、臨場感は向上しない。また、音声出力を例えば５．１チャンネルなど多チャンネル化して臨場感を提供する構成も知られているが、視認による臨場感の向上は得られない問題点が一例として挙げられる。
【０００６】
本発明では、このような点に鑑み、臨場感が得られる表示調整装置および表示装置を提供することを目的とする。
【課題を解決するための手段】
【０００７】
請求項１に記載の発明は、基準点に対向して配置される表示手段の表示面に表示される画面表示の前記基準点における視認距離を調整する表示調整装置であって、少なくとも前記基準点における立体視野範囲外で視認される領域の画面表示の視認距離が立体視野範囲内で視認される画面表示の視認距離より近い距離となる状態に制御することを特徴とした表示調整装置である。
【０００８】
請求項４に記載の発明は、基準点に対向して配置される表示手段の表示面に表示される画面表示の前記基準点における視認距離を調整する表示調整装置であって、前記基準点および前記表示面間の離間距離を認識する距離認識手段と、前記表示面および前記基準点間に配置されるフレネルレンズと、前記離間距離および前記表示面の大きさに基づいて、前記基準点および前記表示面との対向方向を中心軸とし前記基準点を中心として左右方向で中心角がそれぞれ６０度の範囲より外側の領域で視認される領域に対応した前記フレネルレンズの領域を認識する範囲外領域認識手段と、前記表示面における少なくとも前記認識した前記外側の領域に対応した前記フレネルレンズの領域を前記基準点側へ他の領域より小さい曲率半径に屈曲させる屈曲手段と、を具備したことを特徴とした表示調整装置である。
【０００９】
請求項９に記載の発明は、基準点に対向して配置される表示手段の屈曲変形可能な表示面の曲率を調整する表示調整装置であって、前記基準点および前記表示面間の離間距離を認識する距離認識手段と、前記離間距離および前記表示面の大きさに基づいて、前記基準点および前記表示面との対向方向を中心軸とし前記基準点を中心として左右方向で中心角がそれぞれ６０度の範囲より外側に位置する前記表示面の領域を範囲外領域として認識する範囲外領域認識手段と、前記表示面における少なくとも前記認識した範囲外領域を前記基準点側へ他の領域より小さい曲率半径に屈曲させる屈曲手段と、を具備したことを特徴とした表示調整装置である。
【００１０】
請求項１０に記載の発明は、基準点に対向して配置される表示手段の屈曲変形可能な表示面の曲率を調整する表示調整装置であって、少なくとも前記基準点における立体視野範囲外に位置する前記表示面の領域を、他の領域より小さい曲率半径に屈曲させることを特徴とした表示調整装置である。
【００１１】
請求項１７に記載の発明は、基準点に対向して配置された表示手段と、この表示手段にて表示される画面表示の前記基準点における視認状態を調整する請求項１ないし請求項１６のいずれかに記載の表示調整装置と、を具備したことを特徴とした表示装置である。
【発明を実施するための最良の形態】
【００１２】
以下に、本発明の一実施の形態を図面に基づいて説明する。本実施の形態では、本発明の表示装置を備えた再生システムの構成を例示して説明するが、これに限らず、単に表示装置として独立形態としたもの、さらには表示装置を構成し表示パネルを屈曲させる表示調整装置として独立形態としたものなどとすることができる。図１は、本実施の形態における再生システムの概略構成を示す斜視図である。図２は、再生システムの概略構成を示すブロック図である。図３は、表示調整装置の概略構成を示す断面図である。図４は、表示パネルの屈曲状況を示す説明図である。
【００１３】
（再生システムの構成）
図１において、１００は再生システムで、この再生システム１００は、音データを音としておよび像データを映像として出力すなわち再生する装置である。この再生システム１００は、図１および図２に示すように、椅子２００と、表示手段としての表示パネル３００と、スピーカ４００と、再生処理装置５００と、を備えている。そして、再生システム１００は、表示パネル３００と再生処理装置５００にて本発明の表示装置６００が構成され、スピーカ４００と再生処理装置５００とにて音響装置７００が構成される。
【００１４】
椅子２００は、図１に示すように、一対の肘掛け部２１０と、腰掛け部２２０と、背もたれ部２３０と、足掛け部２４０と、を備えている。肘掛け部２１０は、略矩形状に形成され、下端に床面上に載置される脚部２１１がそれぞれ設けられている。さらに、肘掛け部２１０の少なくともいずれか一方は、上面に向けて開口し上端面に回動可能に設けられた肘掛け板部２１２にて開閉される収容空間２１３を有している。腰掛け部２２０は、一対の肘掛け部２１０間に架橋するようにそれぞれ連結されて設けられている。背もたれ部２３０は、利用者が寄り掛かる背もたれ面２３１の鉛直方向に対する傾斜角度が変更可能に腰掛け部２２０に回動可能に軸支されている。また、背もたれ部２３０には、肘掛け部２１０の対向方向に略沿って対向する一対のスピーカ４００が背もたれ面２３１から進退可能に配設されている。足掛け部２４０は、背もたれ部２３０と同様に、利用者が足を乗せる足乗せ面２４１の鉛直方向に対する傾斜角度が変更可能に腰掛け部２２０に回動可能に軸支されている。そして、椅子２００の腰掛け部２２０、背もたれ部２３０および足掛け部２４０には、例えばスピーカや振動子など、腰掛ける利用者が体感可能に音データの再生に対応する振動を発生する図示しない振動発生部が配設されている。
【００１５】
表示パネル３００は、水平方向である左右方向に長手となる略薄型矩形に形成され、少なくとも左右方向で湾曲変形可能に構成されている。この表示パネル３００としては、例えば液晶表示パネルやエレクトロルミネセンス（ＥＬ：Electro Luminescence）パネル、電気泳動ディスプレイパネルなど、可撓性を有し屈曲変形可能な構成が例示できる。さらに、表示パネル３００は、周縁にしたがって可撓性が高くなる、すなわち屈曲しやすくなる状態に形成されている。この構成としては、例えば図２に示すように、周縁にしたがって厚さ寸法が薄くなる構成としたり、周縁にしたがって軟質となる構成としたり、中央にしたがって剛性が高くなるように図示しない補強材を設けたりするなどが例示できる。そして、この表示パネル３００は、椅子２００の肘掛け部２１０の収容空間２１３内に進退可能に設けられた支持部２６０に、収容空間２１３内に表示パネル３００を収容可能に表示パネル３１０の表示面が背もたれ部２３０の背もたれ面２３１に略対向する状態に支持される。また、支持部２６０には、図２および図３に示すように、表示パネル３００の表示面と、基準点となる椅子２００に腰掛けた利用者Ｘとの距離を可変、すなわち表示パネル３１０を前後方向に移動させる例えば電動モータなどの移動手段２６１が設けられている。この移動手段２６１は、例えば肘掛け部２１０に設けられた再生処理装置５００の図示しない調整つまみなどの操作手段５１０の入力操作に対応して再生処理装置５００から出力させる制御信号により駆動し、表示パネル３００を前後方向に移動させる。
【００１６】
スピーカ４００は、上述したように、椅子２００の背もたれ部２３０に進退可能に配設されている。そして、スピーカは４００、再生処理装置５００に接続され、再生処理装置５００からの制御信号により背もたれ部２３０から進退されるとともに、再生処理装置５００から出力される音データを音声として出力する。
【００１７】
再生処理装置５００は、椅子２００に配設され、像データを映像として出力すなわち再生したり、音データを音声として出力すなわち再生したりする。そして、再生処理装置５００は、上述した操作手段５１０と、再生処理部５２０と、表示調整装置５３０と、を備えている。
【００１８】
操作手段５１０は、再生処理装置５００の上端面に臨んで配設され入力操作される図示しない各種操作ボタンや操作つまみなどを有している。これら操作ボタンや操作つまみの入力操作の内容としては、例えば再生処理装置５００の動作内容の設定などの設定事項である。具体的には、表示パネル３００やスピーカ４００の進退移動の設定、音データや像データの再生開始や停止要求の設定、再生される音声の音特性の設定、画面表示として再生される映像の表示特性の設定などが例示できる。そして、操作手段５１０は、設定事項の入力操作により、所定の信号を再生処理部５２０や表示調整装置５３０へ適宜出力して設定させる。なお、この操作手段５１０としては、操作ボタンや操作つまみなどの入力操作に限らず、例えば表示パネル３００に設けられたタッチパネルによる入力操作や、音声による入力操作など、各種設定事項を設定入力可能ないずれの構成が適用できる。
【００１９】
再生処理部５２０は、音データや像データを取得して適宜処理し、像データを表示パネル３００で画面表示させる画像処理や、音データをスピーカ４００で音声出力させる音声処理などを実施する。ここで、音データとしては、音声データや音楽データなど、スピーカ４００にて音声として出力されるデータである。また、像データとしては、画像データや映像データなど、表示パネル３１０にて映像として画面表示により出力されるデータである。この再生処理部５２０は、例えば肘掛け部２１０に配設されたドライブの動作制御、あるいは椅子２００に配設された図示しない端子を介して入力された像データや音データを取得し、表示パネル３００で画面出力あるいはスピーカ４００で音声出力させる処理をする。ここで、ドライブとしては、例えばＣＤ（Compact Disc）やＤＶＤ（Digital Versatile Disc）、磁気ディスク、光磁気ディスク、メモリカードなどの各種記録媒体に記憶された像データや音データを読み取って適宜出力するいずれの構成が利用できる。また、像データや音データの取得する構成としては、例えば放送波に基づいて取得したデータ、インターネットやイントラネットなどのネットワークを介してデータを取得して適宜処理し出力するいずれの構成が利用できる。また、再生処理部５２０は、操作手段５１０による入力操作に応じた設定入力の信号により、移動手段２６１を動作させたり、表示パネル３００やスピーカ４００を進退移動させたりする。
【００２０】
表示調整装置５３０は、表示パネル３００を表示面側が凹状となる状態に屈曲変形させる。この表示調整装置５３０は、図２および図３に示すように、距離認識手段としての距離センサ５３１と、屈曲手段５３２と、範囲外領域認識手段としての演算手段５３３と、を備えている。
【００２１】
距離センサ５３１は、例えばクリアランスソナーなどが利用され、表示パネル３００の上端縁略中央に配設されている。この距離センサ５３１は、演算手段５３３に接続され、椅子２００に腰掛ける利用者と表示パネル３００の表示面との間の離間距離を測定し、演算手段５３３に測定結果である離間距離に関する信号を出力する。
【００２２】
屈曲手段５３２は、例えば表示パネル３００を支持する支持部２６０に配設されるとともに演算手段５３３に接続され、演算手段５３３による制御により表示パネル３００を屈曲させる。この屈曲手段５３２は、図３に示すように、一対の駆動部５３２Ａと、移動手段としてのリンク機構部５３２Ｂと、を備えている。駆動部５３２Ａは、例えばソレノイドや電動モータなどが利用され、表示パネル３００の背面で表示パネル３００の中心における左右方向で対称に配設される。リンク機構部５３２Ｂは、左右方向に長手状で、駆動部５３２Ａの駆動によりそれぞれ左右方向に移動可能に駆動部５３２Ａに配設された移動部５３２Ｂ１を備えている。この移動部５３２Ｂ１の左右方向の先端部には、長手状の付勢部５３２Ｂ２の一端が回動自在に連結されている。さらに、付勢部５３２Ｂ２の回動端となる先端には、表示パネル３００の左右方向の端縁に沿って配設された上下方向に長手状の補強部材５３２Ｂ３の略中央に回動自在に接続されている。そして、リンク機構部５３２Ｂは、演算手段５３３による駆動制御された駆動部５３２Ａの駆動により、移動部５３２Ｂ１が駆動部５３２Ａに対して左右方向に移動され、この移動部５３２Ｂ１の移動により付勢部５３２Ｂ２の補強部材５３２Ｂ３側が前後方向に回動する状態となる。この屈曲手段５３２の動作により、表示パネル３００の左右方向における屈曲性の違いから、表示パネル３００の左右方向の端縁が前後方向に屈曲されて、両端縁側にしたがって曲率半径が小さくなる状態に屈曲される。
【００２３】
演算手段５３３は、例えばＣＰＵ（Central Processing Unit）で、距離センサ５３１から出力される離間距離に関する信号と、あらかじめ設定された表示パネル３００の表示面の大きさとに基づいて、基準点Ｇにおける立体視野範囲外に位置する表示面の領域を範囲外領域として認識する演算をする。この演算する範囲外領域は、図４に示すように、利用者Ｘの立体視野範囲外となる基準点Ｇを中心として左右方向での中心角がそれぞれ６０度の範囲より外側に位置する領域である。具体的には、離間距離Ｄに対する６０度における正接の値（Ｄ×tan６０°）、すなわち利用者Ｘと表示パネル３１０との対向方向における中心となる表示パネル３１０の中心から左右方向への距離より外側が、範囲外領域となる。
【００２４】
そして、演算手段５３３は、表示面の範囲外領域を認識する演算により、屈曲手段５３２にて範囲外領域を基準点Ｇ側へ屈曲させる処理、すなわちリンク機構部５３２Ｂの移動部５３２Ｂ１が左右方向側へ所定量進出する状態に駆動部５３２Ａを駆動させる制御をする。具体的には、図４に示すように、表示パネル３００が基準点Ｇから離れたＡの位置では、表示パネル３００の全面が立体視野範囲内となるので、屈曲手段５３２を動作させず表示パネル３００を屈曲させない。そして、表示パネル３００が基準点Ｇに近づくＢの位置では、表示パネル３００の左右方向における両側部分が立体視野範囲外の範囲外領域となる。このことにより、少なくともこの範囲外領域が基準点Ｇ側に屈曲する状態、すなわちリンク機構部５３２Ｂの移動部５３２Ｂ１が離間距離に対応して左右方向で所定量進出する状態に駆動部を駆動させ、表示パネル３００の両端側にしたがって曲率半径が小さくなる状態に表示パネル３００の左右方向の両端部を基準点Ｇ側に屈曲させる。さらに、表示パネル３００が基準点Ｇに近づくＣの位置では、立体視野範囲外の範囲外領域が広くなる。このことにより、リンク機構部５３２Ｂの移動部５３２Ｂ１が離間距離Ｄに対応して左右方向で所定量でより進出する状態に駆動部５３２Ａを駆動させ、より表示パネル３００の両端側が基準点Ｇ側に屈曲する状態に制御する。このように、表示パネル３００の両端側を基準点Ｇ側に付勢する量を離間距離Ｄに対応して制御、すなわち離間距離Ｄの長さに反比例する距離関係で両端側を基準点Ｇ側へ付勢する制御をすれば、表示パネル３００は両端側にしたがって屈曲しやすい状態に形成されていることから、両端側にしたがって曲率半径が小さくなる状態に表示パネル３００が屈曲される。例えば、離間距離Ｄに応じて、あらかじめ設定された移動部５３２Ｂ１の移動量や駆動部５３２Ａの駆動時間などを認識し、これら移動量や駆動時間となる状態に駆動部５３２Ａを駆動するなどにより、離間距離Ｄの長さに対応して表示パネル３００の両端縁の基準点Ｇ側への移動量が変更され、屈曲状態が変更される。
【００２５】
（再生システムの動作）
次に、上記再生システム１００の動作について説明する。
【００２６】
まず、椅子２００に腰掛けた利用者Ｘが、肘掛け部２１０の肘掛け板部２１２を回動して収容空間２１３に配設された再生処理装置５００の上面を開放し電源を投入すると、再生処理装置５００は初期設定を実施して入力待機状態となる。この状態で、利用者Ｘが所定の音データや像データなどの各種データの再生要求を操作手段５１０での入力操作により設定入力すると、再生処理部５２０が音データの場合にはスピーカ４００を背もたれ部２３０から進出させる処理をし、像データの場合には表示パネル３００を背もたれ部２３０に対向する位置に進出させる処理をする。さらに、再生処理部５２０は、要求対象のデータを所定の格納場所や配信元などから取得、例えばドライブから読み出したり、放送波を処理して取得したり、ネットワークを介して取得したりし、適宜処理する。そして、処理した音データはスピーカ４００から音声として出力させる再生処理を実施し、処理した像データは表示パネル３００で画面表示させる再生処理を実施する。
【００２７】
また、この再生処理における像データを画面表示させる際、距離センサ５３１が離間距離Ｄを測定し、測定結果を演算手段５３３に出力する。このことにより、演算手段５３３は、離間距離Ｄとあらかじめ設定されている表示パネル３００の大きさとに基づいて、表示パネル３００における表示面の立体視野範囲外となる範囲外領域を認識する演算をする。そして、演算手段５３３は、離間距離Ｄに基づいて駆動部５３２Ａを適宜駆動させる。例えば、離間距離Ｄの長さに対応して駆動部５３２Ａを適宜駆動させる。この駆動部５３２Ａの駆動により、離間距離Ｄの長さに対応してリンク機構部５３２Ｂの移動部５３２Ｂ１が左右方向へ所定距離移動させ、付勢部５３２Ｂ２の補強部材５３２Ｂ３側が前後方向に所定量回動する状態となり、表示パネル３００の左右方向の両端縁が所定量で基準点Ｇ側へ付勢され、表示パネル３００の左右方向の両端部が所定量で屈曲される。
【００２８】
この表示パネル３００の屈曲した状態では、表示パネル３００における立体視野範囲外の範囲外領域での映像は利用者Ｘに近くに感じられる状態で視認されることとなる。すなわち、利用者Ｘは、立体視野範囲外の領域における映像の視認距離が立体視野範囲内の領域における映像の視認距離より近い状態に感じられる。このため、利用者Ｘは、映像に包まれた感覚となり、臨場感が向上した感覚が得られる。
【００２９】
（再生システムの作用効果）
上述したように、上記一実施の形態では、基準点Ｇにおける立体視野範囲外で視認される領域の映像が立体視野範囲内で認識される領域の映像での視認距離より近い視認距離となる状態に制御している。このため、利用者Ｘにより立体視野範囲外の視認される領域の映像が近くに感じられることから、左右方向の両端部における上下方向の幅寸法は両端側にしたがって幅広状となる略鼓形状のように視認される状態となり、映像に包まれる感覚が得られ、さらに映像にピントが合いやすくハッキリ見えるようになり、臨場感を向上できる。
【００３０】
そして、この立体視野範囲外で視認される領域の映像の視認記よりが近い距離とする構成として、屈曲可能な表示パネル３００の表示面と利用者Ｘにおける視認の基準点Ｇとの間の離間距離Ｄを距離センサ５３１で測定する。この離間距離Ｄと表示パネル３００の表示面の大きさに基づいて、表示面の立体視野範囲外に位置する範囲外領域を他の領域となる立体視野範囲内における曲率半径より小さい曲率半径となる状態に、屈曲手段により立体視野範囲外の範囲外領域を基準点Ｇ側へ屈曲させる。このため、臨場感が得られる構成が容易に得られる。
【００３１】
また、立体視野範囲外の領域として、一般的に立体視野範囲内とされる対向する中心から左右方向で中心角がそれぞれ６０度の範囲内より外側の領域として演算手段５３３にて演算して認識している。このため、適切に臨場感が得られるように表示パネル３００を屈曲させる領域を容易に認識できる。
【００３２】
さらに、表示パネル３００の左右方向の両端縁側にしたがって曲率半径が連続的に小さくなる状態に屈曲している。このため、より映像に包まれる感覚が容易に得られ、臨場感をより容易に向上できる。
【００３３】
そして、表示パネル３００を少なくとも両端縁側にしたがって可撓性が高い、すなわち屈曲しやすくなる状態に形成している。このため、両端縁にしたがって曲率半径が連続的に小さくなる状態に屈曲する構成が容易に得られる。
【００３４】
また、左右方向の両端縁側にしたがって可撓性が高い、すなわち両端縁側にしたがって屈曲しやすくなる状態に形成した表示パネル３００を利用している。このため、両端縁側にしたがって曲率半径が連続的に小さくなる状態に屈曲することが簡単な構成で容易にできる。
【００３５】
さらに、左右方向の両端縁側にしたがって屈曲しやすくなる状態に形成した表示パネル３００の両端縁を基準点Ｇ側に付勢している。このため、例えば上述したように、駆動部５３２Ａの駆動にてリンク機構部５３２Ｂを動作させて両端縁を付勢する構成で実現でき、簡単な構成で容易に臨場感が得られ、装置の小型化や製造性の向上などが容易に図れる。
【００３６】
また、この表示パネル３００の左右方向の両端縁を基準点Ｇ側へ付勢する処理として、離間距離の長さに対応してすなわち離間距離の長さに反比例する距離関係で付勢する制御をしている。このため、両端縁側にしたがって曲率半径が連続的に小さくなる状態に屈曲させる制御が、簡単な構成の屈曲手段５３２におけるリンク機構部５３２Ｂを動作させる駆動部５３２Ａの簡単な制御で容易に得られ、構成の簡略化や処理の高速化などが容易に得られる。
【００３７】
そして、表示パネル３００として、液晶表示パネルやＥＬパネルあるいは電気泳動ディスプレイパネルなどを利用することで、屈曲可能な構成で薄型であることから、簡単な構成で容易に臨場感が得られる構成を得ることができる。さらには、表示装置６００の小型化が容易に図れる。
【００３８】
また、特に、立体視野範囲外の領域が広い左右方向で屈曲する構成としている。このため、周囲を屈曲する構成に比して、簡単な構成で容易に臨場感が得られる構成を得ることができる。
【００３９】
〔実施の形態の変形例〕
なお、本発明は、上述した各実施の形態に限定されるものではなく、本発明の目的を達成できる範囲で以下に示される変形をも含むものである。
【００４０】
すなわち、表示装置６００および音響装置７００を椅子２００に構築した再生システム１００を例示して説明したが、テレビジョンのように単に表示装置６００のみの構成としたり、表示パネル３００を屈曲させる表示調整装置５３０を独立した構成として表示パネル３００に装着して利用する構成としたりするなど、いずれの利用形態を適用することができる。
【００４１】
そして、表示パネル３００の左右方向で屈曲させて説明したが、表示パネル３００の周縁を凹状に屈曲する状態に屈曲してもよい。この構成により、映像に包まれる感覚が向上し、より臨場感を向上できる。
【００４２】
また、屈曲する屈曲手段５３２の構成としては、上述したリンク機構部５３２Ｂを備えた構成に限らず、例えば図５に示すような付勢する構成としてもよい。具体的には、図５に示すように、表示パネル３００の周縁に設けた補強部材５３２Ｂ３に略対向して駆動部５３２Ａを配設する。また、移動部５３２Ｂ１を長手方向が前後方向となる補強部材との対向方向に沿って進退可能に配設し、補強部材５３２Ｂ３に連結し、屈曲手段５５０を構成する。そして、表示パネル３００を屈曲させる場合には、移動部５３２Ｂ１を進出させ、直接的に付勢する構成としてもよい。
【００４３】
さらには、屈曲する構成として、上述した図１ないし図４に示す実施の形態や図５に示す実施の形態ような付勢する構成に限らず、例えば表示面の略中央を基準点Ｇに対して遠ざかる状態に移動させて屈曲させる構成としてもよい。具体的には、例えば図６に示すように、一面側に表示パネル３００の外形と略同形状の開口面を開口し、この開口面に向けて拡開する状態の案内部５６１を支持部２６０に固定する。この案内部５６１の略中央に設けた吸引孔にコンプレッサなどの移動手段としての吸気装置に連通するダクト５６２を設け、屈曲手段５６０を構成する。なお、案内部５６１は、内周面が表示パネルの周縁と略気密に接触するとともに、表示パネル３００の周縁全体が同等に滑動する状態に形成されている。そして、表示パネル３００を屈曲させる場合には、吸引装置を駆動させて表示パネル３００にて略気密に閉塞された案内部５６１内の空気を吸引する。このことにより、案内部５６１内の気圧が大気圧より小さくなり、表示パネル３００の表示面側が大気圧に押される状態となり、周縁にしたがって曲列半径が小さくなる状態に屈曲される。この構成では、左右方向のみならず周縁の略全周を屈曲させることが簡単な構成で得られる。なお、屈曲させる量は、吸引する空気量や案内部５６１内の気圧を検知し、これら検知結果に基づいて屈曲させる状態を制御すればよい。その他、いずれの方法で屈曲させてもよい。
【００４４】
そして、両端縁にしたがって曲率半径が連続的に小さくなる状態に屈曲して説明したが、立体視野範囲外の領域のみを屈曲させてもよい。なお、この場合、表示パネル３００として、例えば図５に示す実施の形態や図６に示す実施の形態のように、変形させない領域を肉厚に形成して合成を高めるなどしたり、変形させない領域に補強部材を設けたり、してもよい。このような表示パネル３００における部分的な屈曲性の設定により、屈曲状態を容易に設定できる。
【００４５】
さらに、表示パネル３００を屈曲して立体視野範囲内外での視認距離が異なる状態に制御して説明したが、この構成に限らない。例えば図７に示すように、表示パネル３１０の前面に、表示パネル３１０の表示面の外径に対応した大きさのフレネルレンズ８００を略平行に支持部２６０に支持させ、図５に示す実施の形態と同様の屈曲手段５５０にてフレネルレンズ８００の少なくとも左右方向の両端部を基準点Ｇ側に屈曲させる構成とするなどしてもよい。なお、屈曲手段５５０は、フレネルレンズ８００の上下方向の両端縁でそれぞれ付勢する構成として、表示パネル３１０と干渉しないように配設する。そして、この図７に示す構成では、フレネルレンズ８００と基準点Ｇとの離間距離に基づいて、フレネルレンズ８００の左右方向の両端部を屈曲させる。このことにより、フレネルレンズ８００の両端部が表示面から離間する状態となり、その領域での倍率が両端側にしたがって大きくなる状態となる。このため、立体視野範囲外のフレネルレンズ８００で視認する映像の領域の視認距離が、屈曲する両断部分で近くなる状態となり、上述した各実施の形態と同様に、臨場感を向上できるという作用効果が得られる。また、フレネルレンズ８００を用いているため、全体的に拡大された映像を視認できることから、比較的に小さい表示面の表示パネル３１０でも利用できる。さらには、可撓性を有しない表示手段、例えばＰＤＰ（Plasma Display Panel）やＣＲＴ（Cathode-Ray Tube）などを用いることができ、汎用性を向上できる。なお、この図７に示す実施の形態においても、上述した図１ないし図４に示す実施の形態と同様にフレネルレンズ８００を屈曲させる構成に限らず、例えば周縁全体を屈曲させたり、屈曲手段５５０以外の構成にて屈曲させたりするなどしてもよい。また、フレネルレンズ８００と基準点Ｇとの離間距離を測定したが、表示面と基準点Ｇとの離間距離を測定してもよい。
【００４６】
さらには、フレネルレンズ８００を利用する他、例えば倍率を変更可能なレンズを用いたり複数のレンズにより倍率を変更可能とした構成を利用したりするなど、立体視野範囲内外での視認距離が異なるいずれの構成が利用できる。
【００４７】
また、表示手段の表示面としては、例えば投影機により映像が映し出されるスクリーンを表示面として、このスクリーンを屈曲させる構成とするなどしてもよい。
【００４８】
その他、本発明の実施の際の具体的な構造および手順は、本発明の目的を達成できる範囲で他の構造などに適宜変更できる。
【００４９】
〔実施の形態の効果〕
上述したように、基準点Ｇにおける立体視野範囲外で視認される領域の映像が、立体視野範囲内で認識される領域の映像での視認距離より近い視認距離となる状態に制御している。このため、利用者Ｘにより立体視野範囲外の視認される領域の映像が近くに感じられることから、左右方向の両端部における上下方向の幅寸法が幅広状の略鼓形状のように画面表示される映像が視認される状態となり、映像に包まれる感覚が得られ、臨場感を向上できる。
【００５０】
また、基準点Ｇおよび表示パネル３１０の表示面間の離間距離と表示面の大きさとに基づいて、表示面および基準点Ｇ間に配設したフレネルレンズにおける対向方向を中心軸として基準点Ｇを中心として左右方向で中心角がそれぞれ６０度の範囲より外側の領域で視認される領域に対応した領域を認識し、その領域を基準点Ｇ側へ他の曲率半径より小さい状態に屈曲させる。このため、６０度の範囲より外側の立体視野範囲外の領域での倍率が増大し、利用者Ｘにより立体視野範囲外の視認される領域の映像が近くに感じられ、映像に包まれる感覚が得られ、臨場感を向上できる。
【００５１】
そして、基準点Ｇにおける立体視野範囲外に位置する表示パネル３００の屈曲変形可能な表示面の領域を基準点Ｇ側へ他の曲率半径より小さい状態に屈曲させる。このため、６０度の範囲より外側の立体視野範囲外の領域での映像が、利用者Ｘにより近くに感じられるので、映像に包まれる感覚が得られ、臨場感を向上できる。
【００５２】
また、基準点Ｇおよび表示パネル３１０の表示面間の離間距離と表示面の大きさとに基づいて、基準点Ｇとの対向方向を中心軸とし基準点Ｇを中心として左右方向で中心角がそれぞれ６０度の範囲より外側に位置する表示パネル３００の屈曲変形可能な表示面の領域を基準点Ｇ側へ他の曲率半径より小さい状態に屈曲させる。このため、６０度の範囲より外側の立体視野範囲外の領域での映像が、利用者Ｘにより近くに感じられるので、映像に包まれる感覚が得られ、臨場感を向上できる。
【図面の簡単な説明】
【００５３】
【図１】本発明の表示装置における一実施の形態に係る再生システムの概略構成を示す斜視図である。
【図２】前記一実施の形態における再生システムの概略構成を示すブロック図である。
【図３】前記一実施の形態における表示調整装置の概略構成を示す断面図である。
【図４】前記一実施の形態における表示パネルの屈曲状況を示す説明図である。
【図５】本発明に係る他の実施の形態における表示調整装置の概略構成を示す断面図である。
【図６】本発明に係るさらに他の実施の形態における表示調整装置の概略構成を示す断面図である。
【図７】本発明に係るさらに他の実施の形態における表示調整装置の概略構成を示す断面図である。
【符号の説明】
【００５４】
３００，３１０    表示手段としての表示パネル
５３０    表示調整装置
５３１    距離認識手段としての距離センサ
５３２，５５０，５６０    屈曲手段
５３２Ａ  移動手段としての駆動部
５３３    範囲外領域認識手段としての演算手段
６００    表示装置
８００    フレネルレンズ
Ｄ        離間距離
Ｇ        基準点
【図１】
2006023676.tif 000003
【図２】
2006023676.tif 000004
【図３】
2006023676.tif 000005
【図４】
2006023676.tif 000006
【図５】
2006023676.tif 000007
【図６】
2006023676.tif 000008
【図７】
2006023676.tif 000009